(57)【要約】【課題】例えば、テント内に塵芥等の異物が入り難いなど、従来に無い利点を有した作業用テントを得る。【解決手段】作業用テントは、例えば、折りたたみ可能な防水シートを含み屋外機器を覆うドーム状のカバーと、カバー内に位置され、カバー外の空気をカバー内に導入するエアポンプと、を備える。【選択図】図４
2018035648.tif 000002
【特許請求の範囲】
【請求項１】
折りたたみ可能な防水シートを含み屋外機器を覆うドーム状のカバーと、
前記カバー内に位置され、前記カバー外の空気を前記カバー内に導入するエアポンプと、
を備えた、
作業用テント。
【請求項２】
前記カバーと一体化された気柱を備えた、請求項１に記載の作業用テント。
【請求項３】
前記カバーは、設置面に沿って敷かれる底部を有し、
前記エアポンプは、前記底部上に載置された、
請求項１または２に記載の作業用テント。
【請求項４】
前記カバーは、互いに連結された複数の分割体を有した、請求項１〜３のうちいずれか一つに記載の作業用テント。
【請求項５】
前記カバーは、前記分割体として、前記エアポンプを覆う第一の分割体と、前記第一の分割体と着脱可能に連結され前記屋外機器を覆う第二の分割体と、を有した、請求項４に記載の作業用テント。
【請求項６】
前記カバーは、長さが異なる複数の前記分割体を交換可能に構成された、請求項４または５に記載の作業用テント。
【請求項７】
前記カバーは、設置面に沿う方向に伸縮可能な伸縮部を有した、請求項１〜６のうちいずれか一つに記載の作業用テント。
【発明の詳細な説明】
【技術分野】
【０００１】
本発明は、作業用テントに関する。
【背景技術】
【０００２】
従来、屋外機器を覆う折り畳み式の作業用テントが知られている（例えば、特許文献１）。
【先行技術文献】
【特許文献】
【０００３】
【特許文献１】特開２００２−２３５４６０号公報
【発明の概要】
【発明が解決しようとする課題】
【０００４】
この種の作業用テントでは、例えば、テント内に塵芥等の異物が入り難いなど、従来に無い利点を有した作業用テントが得られれば、有益である。
【課題を解決するための手段】
【０００５】
本発明の作業用テントは、例えば、折りたたみ可能な防水シートを含み屋外機器を覆うドーム状のカバーと、前記カバー内に位置され、前記カバー外の空気を前記カバー内に導入するエアポンプと、を備える。
【発明の効果】
【０００６】
本発明の作業用テントによれば、例えば、エアポンプによって、カバー内の気圧をカバー外の気圧より高めることができるため、カバー内に塵芥等の異物が入り難くなる。また、エアポンプがカバー内に位置されるため、エアポンプを雨や雪から守ることができる。
【図面の簡単な説明】
【０００７】
【図１】図１は、第１実施形態の作業用テントの例示的かつ模式的な正面図である。
【図２】図２は、第１実施形態の作業用テントの例示的かつ模式的な側面図である。
【図３】図３は、第１実施形態の作業用テントの例示的かつ模式的な平面図である。
【図４】図４は、図３のIV−IV断面図である。
【図５】図５は、図３のV−V断面図である。
【図６】図６は、図５の一部の拡大図である。
【図７】図７は、第２実施形態の作業用テントの図３のIV−IVと同等位置での断面図である。
【図８】図８は、第３実施形態の作業用テントの図３のIV−IVと同等位置での断面図である。
【図９】図９は、第４実施形態の作業用テントの図３のIV−IVと同等位置での断面図であって、伸長状態での図である。
【図１０】図１０は、第４実施形態の作業用テントの図３のIV−IVと同等位置での断面図であって、短縮状態での図である。
【発明を実施するための形態】
【０００８】
以下、本発明の例示的な実施形態が開示される。以下に示される実施形態の構成（技術的特徴）、ならびに当該構成によってもたらされる作用および結果（効果）は、一例である。また、以下に例示される複数の実施形態には、同様の構成要素が含まれている。よって、以下では、同様の構成要素には共通の符号が付与され、重複する説明が省略される。
【０００９】
また、各図には、説明の便宜上、方向が示されている。Ｘ方向は、作業用テントの長手方向であって、複数の屋外機器の並び方向である。Ｙ方向は、作業用テントの短手方向であって、複数の屋外機器の配列の幅方向である。Ｘ方向およびＹ方向は、屋外機器の設置面に沿う方向であって、例えば、水平方向である。また、Ｚ方向は、作業用テントおよび屋外機器の高さ方向であって、例えば、屋外機器の設置面との直交方向や、鉛直方向である。
【００１０】
＜第１実施形態＞
図１は、第１実施形態の作業用テント１００Ａの正面図、図２は、作業用テント１００Ａの側面図、図３は、作業用テント１００Ａの平面図である。また、図４は、図３のIV−IV断面図、図５は、図３のV−V断面図、図６は、図５の一部の拡大図である。
【００１１】
図１〜５に示されるように、作業用テント１００Ａは、屋外に設置される例えば高圧盤や配電盤等の屋外機器１を覆うように、設置面Ｇ上に設置される。作業用テント１００Ａは、防水機能（防雨、防雪機能）や、防風機能等を有している。作業用テント１００Ａは、屋外機器１の周囲、特に、屋外機器１の前後（図２における屋外機器１の左右両側）に、作業用スペースが確保されるように、屋外機器１を覆う。よって、作業用テント１００Ａの中に入った作業員は、外界、すなわち作業用テント１００Ａの外と隔離された状態で、雨や、雪、風等の影響を避けながら、屋外機器１にアクセスして、各種作業、例えば、確認作業や、メンテナンス作業、設置作業等を、実施することができる。また、作業用テント１００Ａを用いることにより、各種作業が、天候に左右されることなくスケジュールどおりに実行され易くなる。すなわち、作業スケジュールの遅れが生じ難くなる。
【００１２】
作業用テント１００Ａは、折り畳み式のテントである。作業員は、折り畳まれた状態の作業用テント１００Ａを、現場、すなわち屋外機器１の設置場所に持ち込み、図１〜５に示されるような屋外機器１を覆う状態に展開することができる。作業が終了すると、作業員は、作業用テント１００Ａを折り畳み、現場から撤収することができる。作業用テント１００Ａがこのような折り畳み式のテントであることにより、作業員は、複数の現場で、作業用テント１００Ａを用いることができる。よって、複数の現場のそれぞれに常設の防水設備が設けられたような場合に比べて、防水に要するコストをより低くすることができる。
【００１３】
また、作業用テント１００Ａは、分割式の構成を有している。すなわち、図１に示されるように、作業用テント１００Ａは、複数の分割体２０１〜２０３を組み合わせて構成されている。複数の分割体２０１〜２０３は、例えば、線ファスナや、面ファスナ、ホック、ボタン等の結合機構（不図示）を介して互いに結合される。また、分割体２０１〜２０３は、それぞれ、パーツと称されうる。Ｘ方向の端部に位置される分割体２０１，２０３は端部パーツと称され、Ｘ方向の中間部に位置される分割体２０２は中間パーツと称されうる。
【００１４】
図４，５に示されるように、作業用テント１００Ａは、カバー１１０と、フレーム１２０と、を有している。少なくとも作業用テント１００Ａが組み立てられた後の状態において、カバー１１０およびフレーム１２０は一体化されている。すなわち、フレーム１２０は、予めカバー１１０と一体的に構成されていてもよいし、作業時等にカバー１１０に組み付けられてもよい。
【００１５】
カバー１１０は、例えば、折り畳み可能な柔軟性を有した防水シート（防水クロス）である。カバー１１０は、例えば、防水材料によってコーティングされた布であってもよいし、防水性を有した合成樹脂材料のシートであってもよいが、カバー１１０の材質はこれらには限定されない。また、カバー１１０は、透明であってもよいし、耐火性を有してもよいし、絶縁性を有してもよい。
【００１６】
また、図４等に示されるように、カバー１１０は、側壁部１１１、頂壁部１１２、および底壁部１１３を有している。少なくとも作業用テント１００Ａが組み立てられた後の状態において、側壁部１１１、頂壁部１１２、および底壁部１１３は一体化されている。底壁部１１３は、底部の一例である。
【００１７】
側壁部１１１は、屋外機器１の周囲を覆っている。側壁部１１１は、周壁部とも称されうる。また、頂壁部１１２は、屋外機器１の上方を覆っている。頂壁部１１２は、上壁部とも称されうる。なお、側壁部１１１と頂壁部１１２との間に明確な境界線は必須ではなく、側壁部１１１と頂壁部１１２とは一続きであってもよい。
【００１８】
底壁部１１３は、側壁部１１１の下端から設置面Ｇに沿って屋外機器１に向けて延びている。底壁部１１３は、下壁部や、内向きフランジ部とも称されうる。
【００１９】
底壁部１１３上には、作業用テント１００Ａが動くのを抑制するおもり（重し、不図示）が載せられる。また、底壁部１１３は、例えば、ボルトや、ナット、フック、リング等の結合機構（不図示）を介して設置面Ｇと結合されてもよい。また、底壁部１１３は、例えば板等、側壁部１１１や頂壁部１１２よりも硬く、剛性がより高い部材であってもよい。
【００２０】
フレーム１２０は、細長い閉構造のチューブ内に気体（空気）が導入されて膨らんだ所謂気柱である。フレーム１２０のチューブは、例えば、カバー１１０の端部の折り曲げた部分や、カバー１１０とは別の部材を、当該カバー１１０に結合することによって、構成されうる。フレーム１２０が気柱である場合にあっては、フレーム１２０も、例えば、カバー１１０と同様に、折り畳み可能な柔軟性を有した防水シートである。なお、フレーム１２０が気柱であることは必須ではなく、例えば、折り畳み可能あるいは伸縮可能なシャフト等であってもよい。
【００２１】
また、図１に示されるように、カバー１１０の側壁部１１１の一部には、作業員が作業用テント１００Ａに出入り可能な開口部１１４が設けられている。そして、カバー１１０またはフレーム１２０には、当該開口部１１４を開閉可能に覆う扉１３０が設けられている。扉１３０は、開口部１１４の縁部に屈曲可能に接合された接合部１３０ａにおいて、カバー１１０またはフレーム１２０に回動可能に支持されている。扉１３０の接合部１３０ａを除く端部１３０ｂは、開口部１１４の縁部に、着脱可能に結合される。端部１３０ｂと開口部１１４の縁部とは、例えば、線ファスナや、面ファスナ、ホック、ボタン等の結合機構（不図示）によって結合される。扉１３０は、カバー１１０の一部であってもよいし、カバー１１０あるいはフレーム１２０に取り付けられたカバー１１０とは別の部材であってもよい。また、扉１３０は、例えば、作業用テント１００Ａ内に開く所謂内開きの扉であって、扉１３０と開口部１１４との境界部分を作業用テント１００Ａの内側から覆うフランジ（不図示）を有してもよい。
【００２２】
図３〜６に示されるように、作業用テント１００Ａは、カバー１１０内に位置されたブロワ１４０を備えている。ブロワ１４０は、例えば、電動モータや、当該電動モータによって回転駆動されるファン（いずれも不図示）等を有する。ブロワ１４０は、カバー１１０外の空気を、カバー１１０を貫通する空気取入口１１０ａから、カバー１１０内に設けられたダクト１１５およびブロワ１４０の吸入口１４０ｃを介して吸い込み、ブロワ１４０の吐出口１４０ｄからカバー１１０内に吹き出す（導入する）。
【００２３】
ダクト１１５は、カバー１１０内から当該ダクト１１５内に空気が漏れないシール性を有するように構成されるとともに、ブロワ１４０の空気の吸入に伴う負圧によって当該ダクト１１５が空気の吸入に支障を来す状態には変形しない剛性を有するように、すなわち、屈曲したり、潰れたり、座屈したりしない剛性を有するように、構成されている。
【００２４】
カバー１１０に設けられる空気取入口１１０ａは、雨水等の進入を抑制するため、設置面Ｇから所要の高さに設けられている。また、空気取入口１１０ａには、雨除けカバー１１６が設けられている。
【００２５】
ブロワ１４０は、カバー１１０内に所要の流量の空気を導入することにより、作業用テント１００Ａをカバー１１０内の気圧によって膨らむ所謂エアドームとして機能させることができる。ブロワ１４０の流量は、例えば、少なくとも扉１３０が閉じられた状態でカバー１１０内の気圧がカバー１１０外の気圧よりも高くなるように設定される。なお、作業用テント１００Ａには、カバー１１０内の気圧を調整する弁機構等が設けられてもよい。
【００２６】
ブロワ１４０によって、カバー１１０内の気圧をカバー１１０外の気圧より高めることで、カバー１１０内の空気は、開口部１１４や、開口部１１４を覆う扉１３０とカバー１１０との間の隙間や、分割体２０１〜２０３の境界部分の隙間等から、カバー１１０外に出る。よって、本実施形態によれば、塵芥等の異物が、開口部１１４や隙間等を介して、カバー１１０外からカバー１１０内へ侵入するのが、抑制される。また、カバー１１０の空気取入口１１０ａおよびブロワ１４０の吸入口１４０ｃのうち少なくとも一方には、フィルタが設けられている。したがって、本実施形態によれば、カバー１１０内の空気が清浄な状態に維持されうる。
【００２７】
また、ブロワ１４０は、フレーム１２０のチューブ内に空気を送り込むポンプとして機能することができる。ブロワ１４０は、フレキシブルチューブ１４０ａと、当該フレキシブルチューブ１４０ａの先端部に設けられたノズル１４０ｂとを、備えている。作業員は、ノズル１４０ｂをフレーム１２０の空気栓（不図示）に装着し、ブロワ１４０またはノズル１４０ｂの操作部（不図示）を操作することによって、フレーム１２０のチューブ内に空気を入れ、フレーム１２０を膨らませることができる。フレーム１２０のチューブ内の気圧は、例えば、空気栓を塞ぐことによって維持される。各分割体２０１〜２０３は、フレーム１２０によって自立できるよう構成されてもよい。
【００２８】
また、図６に示されるように、ブロワ１４０は、カバー１１０の底壁部１１３上に載置される。これにより、ブロワ１４０は、カバー１１０が移動するのを抑制するおもりとしても機能することができる。
【００２９】
以上、説明したように、本実施形態の作業用テント１００Ａは、屋外機器１を覆うカバー１１０と、カバー１１０内に位置され、カバー１１０外の空気をカバー１１０内に導入するブロワ１４０（エアポンプ）と、を備えている。よって、本実施形態によれば、カバー１１０内の気圧をカバー１１０外の気圧よりも高めることができるため、カバー１１０内に塵芥等の異物が進入し難くなる。また、ブロワ１４０がカバー１１０内に位置されるため、ブロワ１４０を雨や雪から守ることができる。また、本実施形態によれば、例えば、カバー１１０をエアドームとして機能させることができる。したがって、例えば、フレーム１２０の剛性をより低くすることができ、フレーム１２０ひいては作業用テント１００Ａを、より小型、より軽量、あるいはより安価に、構成することができる。よって、作業員は、作業用テント１００Ａの持ち運び、設置、あるいは撤収を、より容易に行えるようになる。
【００３０】
また、本実施形態の作業用テント１００Ａは、カバー１１０と一体化された気柱として機能するチューブ状のフレーム１２０を備えている。よって、本実施形態によれば、例えば、フレームが折り畳み可能あるいは伸縮可能なシャフト等であるような場合に比べて、作業用テント１００Ａをより軽量に構成することができる。
【００３１】
また、本実施形態の作業用テント１００Ａでは、カバー１１０は、設置面Ｇに沿ってしかれる底壁部１１３（底部）を有し、ブロワ１４０（エアポンプ）は、底壁部１１３上に載置されている。よって、ブロワ１４０を、作業用テント１００Ａが移動するのを抑制するおもりとして用いることができる。
【００３２】
＜第２実施形態＞
図７は、第２実施形態の作業用テント１００Ｂの図３のIV−IVと同等位置での断面図である。本実施形態の作業用テント１００Ｂは、第１実施形態の作業用テント１００Ａと同様の構成を備えている。よって、本実施形態によっても、上記第１実施形態と同様の作用および効果が得られる。
【００３３】
ただし、本実施形態の作業用テント１００Ｂは、より多数の屋外機器１を覆うため、第１実施形態の作業用テント１００Ａの分割体２０２と分割体２０３との間に、分割体２０４が継ぎ足されている。このように、本実施形態によれば、分割体２０４を継ぎ足すことにより、各現場の屋外機器１の長さや数に適合した作業用テント１００Ｂを、比較的容易に構築することができる。
【００３４】
＜第３実施形態＞
図８は、第３実施形態の作業用テント１００Ｃの図３のIV−IVと同等位置での断面図である。本実施形態の作業用テント１００Ｃは、第１実施形態の作業用テント１００Ａと同様の構成を備えている。よって、本実施形態によっても、上記第１実施形態と同様の作用および効果が得られる。
【００３５】
ただし、本実施形態の作業用テント１００Ｃでは、より多くの数の屋外機器１を覆うため、第１実施形態の作業用テント１００Ａの中間パーツとしての分割体２０２に替えて、当該分割体２０２よりも長い中間パーツとしての分割体２０５が、端部パーツとしての分割体２０１と分割体２０３との間に結合されている。分割体２０５は、第二の分割体の一例である。このように、本実施形態によれば、長さが異なる複数の分割体２０２，２０５を交換して用いることにより、各現場の屋外機器１の長さや数に適合した作業用テント１００Ａ，１００Ｃを、比較的容易に構築することができる。
【００３６】
また、第１実施形態の図４、第２実施形態の図７、および第３実施形態の図８を参照すれば明らかとなるように、端部パーツとしての分割体２０１は、ブロワ１４０を覆うとともに、当該分割体２０１には、ブロワ１４０に関連したダクト１１５や、空気取入口１１０ａ、雨除けカバー１１６等が設けられている。また、当該分割体２０１には、開口部１１４および扉１３０も設けられている。他方、中間パーツとしての分割体２０２，２０４，２０５は、屋外機器１を覆っている。
【００３７】
上記第１〜第３実施形態によれば、比較的簡素な構成の中間パーツとしての分割体２０２，２０４，２０５が継ぎ足しあるいは交換の対象部品である。このため、例えば、現場で端部パーツとしての分割体２０１を設置し、当該分割体２０１に各種装備品を結合した後に、作業用テント１００ＡのＸ方向の長さが足りないことが判明したような場合にあっても、端部パーツとしての分割体２０１を変更することなく中間パーツとしての分割体２０４を継ぎ足したり、中間パーツとしての分割体２０２を分割体２０５に交換したりすることによって、屋外機器１を覆うのに必要なＸ方向の長さを有した作業用テント１００Ａ〜１００Ｃを、比較的容易に構築することができる。分割体２０１は、第一の分割体の一例であり、分割体２０２，２０４，２０５は、第二の分割体の一例である。
【００３８】
また、上記第１〜第３実施形態によれば、ブロワ１４０を屋外機器１から比較的離れた位置に配置することができるため、ブロワ１４０が作業員の邪魔になり難いという利点も得られる。
【００３９】
＜第４実施形態＞
図９は、第４実施形態の作業用テント１００Ｄの図３のIV−IVと同等位置での断面図であって、伸長状態での図、また、図１０は、第４実施形態の作業用テント１００Ｄの図３のIV−IVと同等位置での断面図であって、短縮状態での図である。本実施形態の作業用テント１００Ｄは、第１実施形態の作業用テント１００Ａと同様の構成を備えている。よって、本実施形態によっても、上記第１実施形態と同様の作用および効果が得られる。
【００４０】
ただし、本実施形態の作業用テント１００Ｄでは、中間パーツとしての分割体２０６が、Ｘ方向に伸縮可能に構成されている。具体的には、分割体２０６は、Ｘ方向に伸縮可能な蛇腹状の伸縮部２０６ａを有している。分割体２０６は、第二の分割体の一例である。
【００４１】
本実施形態によれば、伸縮部２０６ａの長さを可変設定することにより、図９，１０に示されるような、屋外機器１の数や長さが異なる複数の現場に対応した作業用テント１００Ｄを、比較的容易に構築することができる。
【００４２】
以上、本発明の実施形態が例示されたが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各部品のスペック（構造や、種類、方向、形状、大きさ、長さ、幅、厚さ、高さ、数、配置、位置、材質等）は、適宜に変更して実施することができる。
【００４３】
例えば、エアポンプ（ブロワ）が、作業用テントの長手方向の一方の端部に設けられ、カバー内に作業員が出入りするための開口部および当該開口部を覆う扉が、長手方向の他方の端部に設けられてもよい。具体的には、エアポンプが長手方向の一方の端部パーツとしての分割体内に設置され、扉が長手方向の他方の端部パーツとしての分割体に設けられてもよい。また、例えば、伸縮部は、端部パーツに設けられてもよい。また、カバーが分割可能であることは必須ではない。
【符号の説明】
【００４４】
１…屋外機器、１００Ａ〜１００Ｄ…作業用テント、１１０…カバー、１１３…底壁部（底部）、１２０…フレーム（気柱）、１４０…ブロワ（エアポンプ）、２０１…分割体（第一の分割体）、２０２，２０４〜２０６…分割体（第二の分割体）、２０６ａ…伸縮部、Ｇ…設置面。
【図１】
2018035648.tif 000003
【図２】
2018035648.tif 000004
【図３】
2018035648.tif 000005
【図４】
2018035648.tif 000006
【図５】
2018035648.tif 000007
【図６】
2018035648.tif 000008
【図７】
2018035648.tif 000009
【図８】
2018035648.tif 000010
【図９】
2018035648.tif 000011
【図１０】
2018035648.tif 000012